(57)【要約】【課題】雨水等の浸入を防止しつつ、コーキング剤の塗布状態に左右されることなく外観を良くすることが可能で、また、長期にわたって防水性を維持することが可能な換気フードを提供する。【解決手段】換気フード１に、外壁Ｗに当接させる平板状の取付部１１、取付部１１を貫通すると共に取付部１１の外周に沿って列設されコーキング剤Ｃが充填される複数の貫通口１２、及び複数の貫通口１２よりも内側で取付部１１を貫通し換気ダクトＤと連通させるベース側連通口１３、を有した取付ベース１０と、取付ベース１０の取付部１１と対向すると共に取付部１１よりも外形が大きく形成された平板状の平板部２１、平板部２１を貫通しベース側連通口１３と連通する本体側連通口２２、及び平板部２１の周縁から延びて本体側連通口２２を被覆し下方に開口したカバー部２３、を有し取付ベース１０に取付けられるフード本体２０と、を具備させる。【選択図】図２
2014119189.tif 000002
【特許請求の範囲】
【請求項１】
外壁に当接させる平板状の取付部、該取付部を貫通すると共に該取付部の外周に沿って列設されコーキング剤が充填される複数の貫通口、及び複数の該貫通口よりも内側で前記取付部を貫通し換気ダクトと連通させるベース側連通口、を有した取付ベースと、
該取付ベースの前記取付部と対向すると共に該取付部よりも外形が大きく形成された平板状の平板部、該平板部を貫通し前記ベース側連通口と連通する本体側連通口、及び前記平板部の周縁から延びて前記本体側連通口を被覆し下方に開口したカバー部、を有し前記取付ベースに取付けられるフード本体と
を具備することを特徴とする換気フード。
【請求項２】
前記取付ベースは、
前記取付部における前記ベース側連通口の周縁から筒状に延出し、換気ダクトに接続させるダクト接続部を更に具備することを特徴とする請求項１に記載の換気フード。
【請求項３】
前記取付ベースは、
前記取付部から前記フード本体側へ延出した係止部を更に有し、
前記フード本体は、
前記平板部から延出し前記係止部に係止される被係止部を更に有していることを特徴とする請求項１又は請求項２に記載の換気フード。
【発明の詳細な説明】
【技術分野】
【０００１】
本発明は、建物等の外壁に取付けられる換気フードに関するものである。
【背景技術】
【０００２】
建物等の室内と室外とを換気する構造として、外壁を貫通させた換気ダクトと、換気ダクトに接続された換気フードとを備え、換気ダクト及び換気フードを通じて室内と室外とを連通して換気すると共に、換気フードによって雨水等が換気ダクトを通じて室内側に浸入するのを防止したものが知られている。
【０００３】
この換気フードとして、例えば、換気ダクトに内嵌される筒部と、筒部の外周から板状に延出したフランジ部と、フランジ部及び換気ダクトの開口を覆うと共に下方に開口したフード体とを備えたものが提案されている（特許文献１）。
【０００４】
このような従来の換気フードは、換気フードを外壁に取付けた後で、外壁とフード体との隙間にフード体の外周に沿ってコーキング剤を塗布し、外壁とフード体との隙間を通って雨水等が換気フード内や換気ダクト内、更には外壁と換気ダクトとの間に浸入するのを防止している。
【０００５】
しかしながら、従来の換気フードは、換気フードを外壁に取付けた後で、フード体の外周に沿ってコーキング剤を塗布しているため、換気フードの外部にコーキング剤が露出した状態となり、紫外線等の環境的な影響に曝されることにより、コーキング剤が劣化し、防水性を失ったり、また、換気フードや外壁の外観が悪くなる問題があった。
【発明の概要】
【発明が解決しようとする課題】
【０００６】
そこで、本発明は上記の実情に鑑み、雨水等の浸入を防止しつつ、コーキング剤の塗布状態に左右されることなく外観を良くすることが可能で、また、長期にわたって防水性を維持することが可能な換気フードの提供を課題とするものである。
【課題を解決するための手段】
【０００７】
上記の課題を解決するために、本発明に係る換気フードは、「外壁に当接させる平板状の取付部、該取付部を貫通すると共に該取付部の外周に沿って列設されコーキング剤が充填される複数の貫通口、及び複数の該貫通口よりも内側で前記取付部を貫通し換気ダクトと連通させるベース側連通口、を有した取付ベースと、該取付ベースの前記取付部と対向すると共に該取付部よりも外形が大きく形成された平板状の平板部、該平板部を貫通し前記ベース側連通口と連通する本体側連通口、及び前記平板部の周縁から延びて前記本体側連通口を被覆し下方に開口したカバー部、を有し前記取付ベースに取付けられるフード本体とを具備する」ことを特徴とする。
【０００８】
ここで、「コーキング剤」としては、「シリコーン樹脂」、「ポリウレタン樹脂」、等の公知のものを例示することができる。また、「貫通口」としては、「取付部の外周に沿って長孔状に延びたもの」、「円形状又は多角形状のもの」、「取付部の外周側へ開放された切欠き形状のもの」、等を例示することができる。また、「換気ダクト」としては、筒状のものであれば良く、「断面が円形状のもの」、「断面が四角形状を含む多角形状のもの」、等を例示することができる。更に、「ベース側連通口」としては、「換気ダクトよりも小さいもの」、「換気ダクトよりも大きいもの」、「換気ダクトの断面形状と同じ形状のもの」、「換気ダクトの断面形状と異なる形状のもの」、等を例示することができる。
【０００９】
また、フード本体の「平板部」の外形は、取付ベースの取付部の外周に沿った形状としても良いし、取付部の外形とは異なる形状としても良い。また、「本体側連通口」としては、「ベース側連通口よりも大きいもの」、「ベース側連通口よりも小さいもの」、「ベース側連通口の内周形状と同じ形状のもの」、「ベース側連通口の内周形状と異なる形状のもの」、等を例示することができる。更に、「カバー部」としては、ベース側連通口及び本体側連通口を介して換気ダクトと外部とを開口を通して連通できると共に本体側連通口を被覆できるものであれば形状は特に限定されない。また、カバー部は、平板部と別体であっても良いし、平板部と一体であっても良い。
【００１０】
更に、フード本体の「取付」としては、「取付ベースの貫通口から取付部における外壁とは反対側の面側に盛り上がるようにコーキング剤を貫通口に充填し、盛り上がったコーキング剤をフード本体の平板部に接触させて、コーキング剤の粘着力によって取付けるもの」、「取付ベースにビスで取付けるもの」、等を例示することができる。
【００１１】
本発明の換気フードは、取付ベースのベース側連通口を換気ダクトと連通させると共に取付部を外壁に当接させる。そして、取付ベースの取付部と外壁との間がコーキング剤で埋まるように貫通口にコーキング剤を充填する。コーキング剤を充填する際に、隣接する貫通口から充填したコーキング剤が取付部と外壁との間で互いに接触するようにする。これにより、外壁と換気ダクトとの間（外壁内）に雨水等が浸入するのを防止することができると同時に、コーキング剤の粘着力によって取付ベースを外壁に取付けることができる。そして、外壁に取付けた取付ベースにフード本体を取付けることで、外壁に換気フードが取付けられた状態となる。
【００１２】
このように、本発明の換気フードによれば、取付ベースにおける取付部の外周よりも内側に形成された複数の貫通口の部位でコーキング剤によってシールすると共に、取付ベースに重ね合わせて取付けられるフード本体の平板部を、取付部よりも大きく形成しているため、フード本体よりも外側にコーキング剤が外部に露出することがない。従って、雨水等の浸入を防止しつつ、コーキング剤Ｃの塗布状態に左右されることなく外観を良くすることができると共に、長期にわたって防水性を維持することができる。
【００１３】
また、本発明に係る換気フードは、上記の構成に加えて、「前記取付ベースは、前記取付部における前記ベース側連通口の周縁から筒状に延出し、換気ダクトに接続させるダクト接続部を更に具備する」ことを特徴としても良い。
【００１４】
ここで、「ダクト接続部」としては、「換気ダクトに挿入することで接続されるもの」、「換気ダクトが挿入されることで接続されるもの」、等を例示することができる。
【００１５】
本構成の換気フードによれば、取付ベースのダクト接続部を換気ダクトに接続することで、換気ダクトによって取付ベースを支持させることができるため、取付ベースを外壁に取付ける際に、外壁に対して取付ベースを位置決めすることができ、換気フードの取付作業を行い易くすることができる。
【００１６】
更に、本発明に係る換気フードは、上記の構成に加えて、「前記取付ベースは、前記取付部から前記フード本体側へ延出した係止部を更に有し、前記フード本体は、前記平板部から延出し前記係止部に係止される被係止部を更に有している」ことを特徴としても良い。
【００１７】
ここで、「係止部」としては、「筒状に延出したもの」、「棒状に延出したもの」、「板状に延出したもの」、「延出方向に対して直角方向へ窪んだ係止溝を備えたもの」、「延出方向に対して直角方向へ突出した突出部を備えたもの」、等を例示することができる。また、「被係止部」としては、「弾性変形して係止部の係止溝に挿入される突部を備えたもの」、「係止部の延出方向に対して直角方向へ押圧して摩擦抵抗により係止するもの」、「弾性変形して係止部の突出部に引っ掛かる爪を備えたもの」、等を例示することができる。
【００１８】
本構成の換気フードによれば、取付ベースの係止部にフード本体の被係止部を係止させることで、取付ベースにフード本体を取付けることができる。
【発明の効果】
【００１９】
このように、本発明によれば、雨水等の浸入を防止しつつ、コーキング剤の塗布状態に左右されることなく外観を良くすることが可能で、また、長期にわたって防水性を維持することが可能な換気フードを提供することができる。
【図面の簡単な説明】
【００２０】
【図１】本発明の一実施形態である換気フードを外壁に取付けた状態を示す斜視図である。
【図２】図１の側面断面図である。
【図３】図１を分解して示す分解斜視図である。
【図４】図１の換気フードの取付方法を示す説明図である。
【発明を実施するための形態】
【００２１】
本発明の一実施形態である換気フード１について、図１乃至図４を参照して詳細に説明する。本実施形態の換気フード１は、外壁Ｗに取付けられると共に外壁Ｗを貫通した換気口Ｗ１内に挿通された換気ダクトＤに接続され、換気ダクトＤを通じて室内と室外とを換気すると共に、換気ダクトＤを通じ室内側に雨水等が浸入するのを防止するためのものである。本実施形態の換気フード１は、外壁Ｗに取付けられると共に換気ダクトＤに接続される取付ベース１０と、取付ベース１０に取付けられ換気ダクトＤの開口を被覆するフード本体２０と、を備えている。本実施形態の換気フード１は、取付ベース１０が合成樹脂によって形成されていると共に、フード本体２０がステンレス合金等の金属板によって形成されている。
【００２２】
換気フード１の取付ベース１０は、外壁Ｗに当接させる平板状の取付部１１と、取付部１１を貫通すると共に取付部１１の外周に沿って列設された複数の貫通口１２と、複数の貫通口１２よりも内側で取付部１１を貫通し換気ダクトＤと連通させるベース側連通口１３と、ベース側連通口１３の周縁から円筒状に延出し換気ダクトＤ内に挿入されるダクト接続部１４と、ダクト接続部１４とは反対側へベース連通口１３の周縁から円筒状に延出した係止部１５と、を備えている。
【００２３】
取付部１１は、外周形状が円形状に形成されている。また、取付部１１は、ダクト接続部１４が延出した側の面で複数の貫通口１２よりも内側から、ダクト接続部１４が延出した方向へ円環状に突出し外壁Ｗに当接させる脚部１１ａと、脚部１１ａとは反対側の面において複数の貫通口１２と係止部１５との間の位置から径方向外側がダクト接続部１４側へ凹んだ段部１１ｂと、を有している。取付部１１の脚部１１ａは、その内径が外壁Ｗの換気口Ｗ１よりも大径に形成されている。複数の貫通口１２は、夫々が取付部１１の外周に沿って円弧状に延びた長孔に形成されている。本実施形態では、六つの貫通口１２が周方向に等角度の間隔で備えられている。
【００２４】
ダクト接続部１４は、円筒状の外周から突出すると共に円筒の軸方向へ延出し周方向へ所定間隔で形成された複数の突条１４ａと、円筒の先端における内周下面から上方へ板状に延出し先端開口の一部を閉鎖する止り部１４ｂと、を備えている。複数の突条１４ａは、詳細な図示は省略するが、夫々断面が三角形状に形成されており、本実施形態では、周方向に等角度の間隔で四つ備えられている。このダクト接続部１４は、各突条１４ａの頂点側が換気ダクトＤの内面に当接する外径に形成されている。
【００２５】
ベース側連通口１３、ダクト接続部１４、及び係止部１５は、図示するように、内周面が連続している。ダクト接続部１４は、外径が換気ダクトＤの内径よりも小径に形成されている。係止部１５は、延出方向に対して直角方向へ窪んだ係止溝１５ａを外周に備えている。
【００２６】
フード本体２０は、取付ベース１０の取付部１１よりも外形が大きく形成された平板状の平板部２１と、平板部２１を貫通しベース側連通口１３と連通する本体側連通口２２と、平板部２１の周縁から延びて本体側連通口２２を被覆し下方に開口したカバー部２３と、平板部２１からフード本体２０内側へ延出し係止部１５の係止溝１５ａに係止される複数の被係止部２４と、を備えている。
【００２７】
また、フード本体２０は、平板部２１の下端からカバー部２３よりも下方へ延出し下端がカバー部２３側へ斜めに屈曲した水切り部２５と、カバー部２３の開口を覆うルーバー部材２６と、カバー部２３の内側に取付けられルーバー部材２６を支持したステー２７と、ルーバー部材２６の上側に取付けられた金網２８と、を備えている。なお、ルーバー部材２６は、ビス２９によってステー２７に取付けられている（図２を参照）。また、金網２８は、図３では省略している。
【００２８】
平板部２１は、外形が逆Ｕ字の下端同士を直線で結んだ形状に形成されている。また、平板部２１は、外周にカバー部２３とは反対側へ屈曲した被覆部２１ａが全周に亘って備えられている。また、平板部２１は、ルーバー部材２６を支持するための貫通した支持孔２１ｂと、フード本体２０を外壁Ｗに固定するための貫通した二つの固定孔２１ｃと、を備えている。本体側連通口２２は、取付ベース１０の係止部１５の外径よりも大径に形成されている（図３を参照）。カバー部２３は、平板部２１の外周よりも略一定幅内側の位置から延出している。また、カバー部２３は、上部が四半球状に形成されていると共に、上部と連続した下部が半円錐台状に形成されている。これにより、カバー部２３の下端の開口は、略半円形状に形成されている。
【００２９】
複数の被係止部２４は、弾性変形可能な鉤状に形成されている。本実施形態では、四つの被係止部２４が、本体側連通口２２の内周に沿って等角度の間隔で備えられている。ルーバー部材２６は、外形がカバー部２３の下端の開口の内周形状と略一致した略半円形状に形成されている。このルーバー部材２６は、貫通した複数の開口部２６ａと、斜め下方へ延びた複数の整流板２６ｂと、略半円形状に形成された外形における直線の辺から突出し平板部２１の支持孔２１ｂに挿入支持される支持片２６ｃ（図３を参照）と、を備えている。このルーバー部材２６は、平板部２１の支持孔２１ｂとステー２７にねじ込まれるビス２８とによってフード本体２０に対して着脱可能に取付けられている。
【００３０】
なお、本実施形態のフード本体２０は、金属板をプレス成形等によって屈曲加工した複数の部品によって形成されている。
【００３１】
続いて、本実施形態の換気フード１の取付方法について説明する。まず、外壁Ｗを貫通した換気口Ｗ１内に挿入された換気ダクトＤに、外壁Ｗの外側から取付ベース１０のダクト接続部１４を挿入し、取付部１１の脚部１１ａを外壁Ｗに当接させる（図４（ａ）及び（ｂ）を参照）。この際に、ダクト接続部１４の止り部１４ｂが、換気ダクトＤの下端側に位置した状態とする。
【００３２】
そして、取付ベース１０の脚部１１ａを外壁Ｗに当接させた状態で、取付ベース１０の外側から複数の貫通口１２内へシリコーン樹脂等のコーキング剤Ｃを充填する。コーキング剤Ｃの充填は、隣接する貫通口１２に充填されたコーキング剤Ｃ同士が取付部１１と外壁Ｗとの間で互いに接触すると共に、脚部１１ａよりも外周側で取付部１１と外壁Ｗとの間を埋めるようにする。これにより、取付ベース１０と外壁Ｗとの間が水密にシールされた状態となると共に、コーキング剤Ｃの粘着力によって取付部１１（取付ベース１０）が外壁Ｗに取付けられた状態となる。なお、本実施形態では、取付部１１において、貫通口１２よりも外周側の部位が存在するため、その部位によってコーキング剤Ｃを取付部１１よりも外周側へはみ出し難くすることができる。
【００３３】
また、コーキング剤Ｃを、各貫通口１２から取付部１１の外面（外壁Ｗとは反対側の面）側に盛り上げて充填する（図４（ｃ）を参照）。更に、取付部１１の外面側における段部１１ｂよりも内周側の位置に、コーキング剤Ｃを全周に亘って塗布する。
【００３４】
コーキング剤Ｃの充填及び塗布が完了したら、フード本体２０を、その本体側連通口２２の開口縁と取付ベース１０のベース側連通口１３の開口縁とを対向させた状態とする。そして、フード本体２０を、外壁Ｗ側へ移動させて本体側連通口２２内に円筒状の係止部１５を相対的に挿入し、係止部１５の係止溝１５ａに被係止部２４を係止させる（図４（ｄ）を参照）。これにより、フード本体２０の平板部２１が、取付部１１の外面側に盛り上げられたコーキング剤Ｃと接触した状態となり、コーキング剤Ｃの粘着力と係止部１５と被係止部２４との係止によってフード本体２０が取付ベース１０に取付けられた状態となる。また、この状態では、フード本体２０の平板部２１が、取付ベース１０の取付部１１に重ね合わされてその前側を被覆すると共に、平板部２１の被覆部２１ａが、取付部１１の外周を被覆した状態となり、外側から取付ベース１０が見えない状態となる。
【００３５】
そして、コーキング剤Ｃが硬化することで、外壁Ｗと取付ベース１０（取付部１１）との間が水密にシールされると同時に、取付ベース１０とフード本体２０との間も水密にシールされた状態となり、外壁Ｗと換気フード１との間から換気ダクトＤ側へ雨水等が浸入するのを防止することができる。また、コーキング剤Ｃが硬化することで、取付ベース１０とフード本体２０が外壁Ｗに接着された状態となり、而して、外壁Ｗへの換気フード１の取付けが完了する。なお、固定孔２１ｃを通して外壁Ｗにビスをねじ込むことで、フード本体２０を外壁Ｗに対して更に固定しても良い。
【００３６】
このように、本実施形態の換気フード１によれば、取付ベース１０における取付部１１の外周よりも内側に形成された複数の貫通口１２の部位でコーキング剤Ｃによってシールすると共に、取付ベース１０に重ね合わせて取付けられるフード本体２０の平板部２１を取付部１１よりも大きく形成しているため、フード本体２０よりも外側にコーキング剤Ｃが外部に露出することがない。従って、雨水等の浸入を防止しつつ、コーキング剤Ｃの塗布状態に左右されることなく外観を良くすることができると共に、長期にわたって防水性を維持することができる。
【００３７】
また、取付ベース１０のダクト接続部１４を換気ダクトＤに挿入することで、換気ダクトＤによって取付ベース１０を支持させることができるため、取付ベース１０を外壁Ｗに取付ける際に、外壁Ｗに対して取付ベース１０を位置決めすることができ、換気フード１の取付作業を行い易くすることができる。
【００３８】
更に、取付ベース１０の係止部１５にフード本体２０の被係止部２４を係止させることで、取付ベース１０にフード本体２０を取付けることができると共に、係止部１５と被係止部２４との係止によってコーキング剤Ｃが硬化するまでの間、取付ベース１０に対しフード本体２０が動かないように支持させて、外壁Ｗに換気フード１を確実に取付けることができる。
【００３９】
また、取付ベース１０の取付部１１における外面側に段部１１ｂを備えているため、フード本体２０の平板部２１を重ね合わせた時に、段部１１ｂによって取付部１１と平板部２１との間にコーキング剤Ｃが存在できる隙間を確実に確保することができる。これにより、取付部１１と平板部２１との間のコーキング剤Ｃが薄くなりすぎてしまうのを回避させることができるため、コーキング剤Ｃによる防水効果や接着効果を確実に発揮させることができる。
【００４０】
また、ダクト接続部１４の先端に止り部１４ｂを備えているため、ダクト接続部１４内に浸入した雨水等を、ダクト接続部１４の先端から換気ダクトＤ内へ流入するのを防止することができ、雨水等が室内側へ浸入するのを防止することができる。
【００４１】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４２】
例えば、上記の実施形態では、取付ベース１０の貫通口１２として、円弧状に延びた長孔のものを示したが、これに限定するものではなく、円形状や多角形状の孔の貫通口でも良いし、取付部１１の外周側へ開放された切欠き形状の貫通口でも良い。
【００４３】
また、上記の実施形態では、取付ベース１０のダクト接続部１４を、換気ダクトＤ内へ挿入するものを示したが、これに限定するものではなく、取付ベース１０の止り部１４ｂを廃止してダクト接続部１４内に換気ダクトＤが挿入されるダクト接続部でも良い。これにより、結露等によって換気ダクトＤ内に溜まった水を換気フード１から外部へ排出することができ、結露が発生し易い寒冷地等においても本換気フード１を好適に用いることができる。なお、この場合、換気ダクトＤをフード本体２０内へ延びださせることが望ましい。
【００４４】
更に、上記の実施形態では、フード本体２０の外形が逆Ｕ字の下端同士を直線で結んだ形状に形成されたものを示したが、これに限定するものではなく、四角形等の他の形状に形成されたフード本体でも良い。
【００４５】
また、上記の実施形態では、取付ベース１０に、ダクト接続部１４と係止部１５を備えたものを示したが、これに限定するものではなく、ダクト接続部１４又は係止部１５の何れか一方のみを備えた取付ベース、或いは、ダクト接続部１４及び係止部１５を備えていない取付ベース、等としても良い。
【符号の説明】
【００４６】
１  換気フード
１０  取付ベース
１１  取付部
１２  貫通口
１３  ベース側連通口
１４  ダクト接続部
１５  係止部
２０  フード本体
２１  平板部
２２  本体側連通口
２３  カバー部
２４  被係止部
Ｗ  外壁
Ｄ  換気ダクト
Ｃ  コーキング剤
【先行技術文献】
【特許文献】
【００４７】
【特許文献１】特開平９−３３０８２号公報
【図１】
2014119189.tif 000003
【図２】
2014119189.tif 000004
【図３】
2014119189.tif 000005
【図４】
2014119189.tif 000006